【事件の表示】
　平成１１年特許願第２７７２１４号「エレクトロルミネッセンス表示装置」拒絶査定不服審判事件〔平成１３年　４月１３日出願公開、特開２００１−１００６６８〕について、次のとおり審決する。
【結　論】
　本件審判の請求は、成り立たない。
【理　由】
１．手続の経緯・本願発明 
　本願は、平成１１年９月２９日の出願であって、平成１７年６月１０日付けで拒絶査定がなされ、これに対し平成１７年７月２１日に拒絶査定に対する審判請求がなされたものであって、その請求項２に係る発明（以下、「本願発明」という。）は、平成１６年１２月２７日付け手続補正により補正された明細書の特許請求の範囲の請求項２に記載された事項により特定される次のとおりのものである。　 
「複数のエレクトロルミネッセンス素子を有する複数の小型パネルを接着剤層を介して大型基板に貼り付けることにより大型化するエレクトロルミネッセンス表示装置であって、
　前記大型基板が透明な大型基板からなり、前記接着剤層が紫外線硬化型の接着剤層からなるエレクトロルミネッセンス表示装置。」 
　 
２．引用例 
　原査定の拒絶の理由に引用された、本願の出願前である平成１１年８月１９日に頒布された国際公開第９９／４１７３２号パンフレット（以下、「引用例１」という。）には、次の事項が記載されている。 
（１）「本発明は、電子ディスプレイ装置に係わり、特に、タイル張りディスプレイ装置の配列として形成される広い面積のディスプレイ装置に関する。」（第１頁第４行〜第６行）
（２）「図３は第１の好適なディスプレイ構造を示す分解斜視図である。このタイル構造は、２つの部分、すなわちディスプレイ部分とエレクトロニクス部分とから形成されている。
　ディスプレイ部分は、例えばフロートガラスプレートから成る透明なフロントプレート３２０を有している。透明な縦列電極３２２は、良く知られたプロセスを使用してインジウム酸化スズのような透明な導体の薄い帯を形成することによって、フロントプレート３２０上に形成される。これは、例えば、フロートガラスプレートの全面にわたってＩＴＯの膜を堆積させるとともに電極を形成するためにＩＴＯを選択的にエッチングすることによって行なわれる。ピクセルの活性領域を形成するために、ホール・トランスポート層、発光層、電子注入層を含むディスプレイ材料、赤、緑、青のＯＬＥＤ材料３２４，３２６が縦列電極の上面に堆積される。」（第１７頁第１行〜第１２行）
（３）「本発明は、タイル間の物理的な隙間と黒色マトリクスとを見分けることができなくする、したがって、観察者によって視認できなくする光学構造をタイル張りディスプレイに組み込んで使用している。このような構造が図１９に示されている。図１９は部部的に組み立てられたディスプレイ装置の斜視図である。図１９に示す主要な構成部品は、フレーム２０１４、例えばガラスやプラスチックから成る透明シート２０２０、黒色マトリクスを形成する複数の黒色ライン２０１０、ディスプレイを形成する複数のタイル１２０である。光学集積構造の重要な特徴は、黒色マトリクスラインと同様な黒色ライン２０１０の模様である。この場合、これらの黒色ライン２０１０は、等しい幅を有し、ピクセルのピッチと等しい間隔を有している。これらの黒色ライン２０１０は、タイル１２０間の隙間２０１２の両側のピクセルを含むディスプレイの全てのピクセル間で延在するように位置合わせされる。また、黒色ラインの光学集積パターンは中方立てと同様である。すなわち、光学集積構造の黒色ラインの幾つかは、ディスプレイタイル間の隙間上で延在しており、隙間を視認できないようにしている。組み立てられると、タイル１２０のガラス基板３２０は、透明シート２０２０の背面上にある集積構造を形成する黒色ライン２０１０に隣接して位置される。」（第２８頁第２４行〜第２９頁第４行）
（４）「また、集積構造２０２０は、ディスプレイタイルを位置合わせして装着する簡単な方法を提供する。特に、集積構造２０２０上のパターンが例えばモアレ模様を使用して複数のピクセルと正確に位置合わせされ、これによって、１つのタイルが位置決めされて、その後、そのタイルが光学的に明瞭な接着剤によって構造２０２０上に装着されても良い。」（第３２頁第３５行〜第３３頁第２行）
（５）「８．複数の画像タイルから成るタイル張りディスプレイ構造において、各タイルは、
  上面と底面とを有する回路基板と、
  ガラス基板と複数のピクセル構造とを有し、各ピクセル構造はピクセル領域を形成するとともにピクセル領域の一部を占める活性領域を有し、複数のピクセル構造は、横列と縦列とを有するマトリクス状に配置され、電気信号を受けるための複数のコンタクトを有する、ディスプレイ部分と、
  前記回路基板の底面に接続され、メモリに記憶された画像データに応じて、ピクセル構造の電気コンタクトのそれぞれに複数の電気信号を供給して、複数のピクセル構造を選択的に作動させるピクセル駆動回路と、
  暗色ラインの複数の横列及び縦列を有し、複数のラインは、その幅が略等しく、タイル張りディスプレイ装置のピクセル位置のためにフロントパネル上に透明領域を形成する、透明なフロントパネルと、
  複数のタイルのディスプレイ部分のガラス基板を透明なフロントパネルに固定して、各タイル上の各ピクセル領域の活性領域をフロントパネル上に形成された透明領域の異なる１つにそれぞれ位置合わせするための手段と、
  を備えているタイル張りディスプレイ構造。」（第４０頁の特許請求の範囲の請求項８）
（６）図３には、複数のＯＬＥＤ材料３２４、３２６を有するガラス基板３２０が見てとれる。
（７）図１９には、複数の小型のガラス基板３２０と大型の透明シート２０２０が見てとれる。
 
　これらの記載事項により、引用例１には、「複数のＯＬＥＤ材料３２４、３２６を有する複数の小型のガラス基板３２０を接着剤により大型の透明シート２０２０に装着することにより広い面積とするＯＬＥＤディスプレイ装置。」（以下、「引用発明」という。）が開示されている。 
　 
３．対比 
　そこで、本願発明と引用発明とを対比すると、引用発明の「ＯＬＥＤ材料３２４、３２６」は本願発明の「エレクトロルミネッセンス素子」に、以下同様に、「小型のガラス基板３２０」は「小型パネル」に、「大型の透明シート２０２０」は「大型基板」及び「透明な大型基板」に、「広い面積とする」は「大型化する」に、「ＯＬＥＤディスプレイ装置」は「エレクトロルミネッセンス表示装置」に、それぞれ相当する。 
　そして、引用発明は「複数の小型のガラス基板３２０を接着剤により大型の透明シート２０２０に装着する」ものであるから、引用発明の「接着剤により」は「接着剤層を介して」と言え、また、引用発明の「装着する」は「貼り付ける」と言える。
　以上から、両者は、 
「複数のエレクトロルミネッセンス素子を有する複数の小型パネルを接着剤層を介して大型基板に貼り付けることにより大型化するエレクトロルミネッセンス表示装置であって、
　前記大型基板が透明な大型基板からなるエレクトロルミネッセンス表示装置。」  
である点で一致し、以下の点で相違している。 
［相違点］接着剤層が、本願発明は紫外線硬化型の接着剤層からなるものであるに対して、引用発明はこのような限定がない点。 
　 
４．判断 
　上記相違点について検討する。 
　エレクトロルミネッセンス表示装置において、紫外線硬化型の接着剤層を用いて基板を貼り付けることは、従来周知の技術事項（特開平７−２９５４８４号公報【００３９】〜【００４１】、特開平５−２９０９７６号公報）であるから、接着剤層を紫外線硬化型の接着剤層からなるものとすることに、何ら困難性はない。
　 
　そして、本願発明による作用効果も、引用発明及び従来周知の技術事項から当業者が予測できる範囲のものである。 
　 
５．むすび 
　以上のとおり、本願発明は、引用例１に記載された発明及び従来周知の技術事項に基づいて、当業者が容易に発明をすることができたものであるから、特許法第２９条第２項の規定により特許を受けることができない。 
　よって、結論のとおり審決する。